(57)【要約】  温度スイッチ（１）は、温度を感知することによって可動接点（２）を固定接点（３）に接触する位置と固定接点（３）から離隔した位置とに移動させる感温部（４）と、固定接点（３）に接続され、被覆部（５ａ）を有する第１リード線（５）と、可動接点（２）に接続され、被覆部（６ａ）を有する第２リード線（６）と、第１リード線（５）の被覆部（５ａ）が挿入される第１リード線用凹部（１１ａ，１２ａ）及び第２リード線（６）の被覆部（６ａ）が挿入される第２リード線用凹部（１１ｂ，１２ｂ）をそれぞれが有し、互いに嵌め合わされることで感温部（４）、可動接点（２）、及び固定接点（３）が収容される収容空間（Ｓ）を形成する第１絶縁ケース部材（１１）及び第２絶縁ケース部材（１２）と、を備える。
2017130518.tif 000002
【特許請求の範囲】
【請求項１】
温度を感知することによって可動接点を固定接点に接触する位置と前記固定接点から離隔した位置とに移動させる感温部と、
前記固定接点に接続され、被覆部を有する第１リード線と、
前記可動接点に接続され、被覆部を有する第２リード線と、
前記第１リード線の前記被覆部が挿入される第１リード線用凹部及び前記第２リード線の前記被覆部が挿入される第２リード線用凹部をそれぞれが有し、互いに嵌め合わされることで前記感温部、前記可動接点、及び前記固定接点が収容される収容空間を形成する第１絶縁ケース部材及び第２絶縁ケース部材と、
を備えることを特徴とする温度スイッチ。
【請求項２】
前記第１リード線用凹部には、前記第１リード線の軸方向に分離した位置で突出する複数のリブが形成され、
前記第２リード線用凹部には、前記第２リード線の軸方向に分離した位置で突出する複数のリブが形成され、
前記第１絶縁ケース部材の前記第１リード線用凹部の前記複数のリブと、前記第２絶縁ケース部材の前記第１リード線用凹部の前記複数のリブとは、前記第１リード線の前記被覆部の全周に亘って前記被覆部を締め付けるように互いに接触し、
前記第１絶縁ケース部材の前記第２リード線用凹部の前記複数のリブと、前記第２絶縁ケース部材の前記第２リード線用凹部の前記複数のリブとは、前記第２リード線の前記被覆部の全周に亘って前記被覆部を締め付けるように互いに接触する、
ことを特徴とする請求項１記載の温度スイッチ。
【請求項３】
前記第１絶縁ケース部材及び前記第２絶縁ケース部材のうち少なくとも一方の前記第１リード線用凹部及び前記第２リード線用凹部は、前記複数のリブの間に位置する窪みを含むことを特徴とする請求項２記載の温度スイッチ。
【請求項４】
前記第１リード線用凹部及び前記第２リード線用凹部は、互いに平行な前記第１リード線及び前記第２リード線の軸方向に延び、且つ、前記第１絶縁ケース部材の前記第１リード線用凹部及び前記第２リード線用凹部と前記第２絶縁ケース部材の前記第１リード線用凹部及び前記第２リード線用凹部との対向方向及び前記軸方向に直交する配列方向に配列され、
前記第１絶縁ケース部材及び前記第２絶縁ケース部材のそれぞれは、前記配列方向に前記収容空間を挟んだ両側の面に位置し前記第１絶縁ケース部材と前記第２絶縁ケース部材とをロックするための少なくとも一対の第１ロック機構を更に有し、
前記一対の第１ロック機構は、前記第１リード線用凹部及び前記第２リード線用凹部の前記軸方向の中心を通り前記軸方向に直交する面上に位置する、
ことを特徴とする請求項１記載の温度スイッチ。
【請求項５】
前記第１絶縁ケース部材及び前記第２絶縁ケース部材のそれぞれは、前記第１リード線用凹部と前記第２リード線用凹部との間に位置し前記第１絶縁ケース部材と前記第２絶縁ケース部材とをロックするための第２ロック機構を更に有することを特徴とする請求項１記載の温度スイッチ。
【請求項６】
前記第１リード線用凹部及び前記第２リード線用凹部は、互いに平行な前記第１リード線及び前記第２リード線の軸方向に延び、且つ、前記第１絶縁ケース部材の前記第１リード線用凹部及び前記第２リード線用凹部と前記第２絶縁ケース部材の前記第１リード線用凹部及び前記第２リード線用凹部との対向方向及び前記軸方向に直交する配列方向に配列され、
前記第１絶縁ケース部材及び前記第２絶縁ケース部材のそれぞれは、前記配列方向に前記収容空間を挟んだ両側の面に位置し前記第１絶縁ケース部材と前記第２絶縁ケース部材とをロックするための少なくとも一対の第１ロック機構を更に有し、
前記第２ロック機構は、前記一対の第１ロック機構が前記第１絶縁ケース部材と前記第２絶縁ケース部材とをロックする方向とは直交する方向に前記第１絶縁ケース部材と前記第２絶縁ケース部材とをロックする、
ことを特徴とする請求項５記載の温度スイッチ。
【請求項７】
温度を感知することによって可動接点を固定接点に接触する位置と前記固定接点から離隔した位置とに移動させる感温部を備える温度スイッチに配置される温度スイッチ用絶縁ケースであって、
前記固定接点に接続され被覆部を有する第１リード線の前記被覆部が挿入される第１リード線用凹部及び前記可動接点に接続され被覆部を有する第２リード線の前記被覆部が挿入される第２リード線用凹部をそれぞれが有し、互いに嵌め合わされることで前記感温部、前記可動接点、及び前記固定接点が収容される収容空間を形成する第１絶縁ケース部材及び第２絶縁ケース部材を備える、
ことを特徴とする温度スイッチ用絶縁ケース。
【発明の詳細な説明】
【技術分野】
【０００１】
本発明は、電気回路を開閉する温度スイッチ、及びこの温度スイッチに用いられる温度スイッチ用絶縁ケースに関する。
【背景技術】
【０００２】
従来、絶縁ケースに収容された端子部に接続されるリード線が、硬化性樹脂などの充填材を充填されることにより機械的に保持される温度スイッチが知られている（例えば、特許文献１参照）。【０００３】
また、絶縁ケースとして、リード線を保持するのではなく板状の端子を挟み込むものにすぎないが、上下の絶縁ケース部材が嵌め合わされる温度スイッチも知られている（例えば、特許文献２参照）。
【先行技術文献】
【特許文献】
【０００４】
【特許文献１】特開２００１−３５３３０号公報
【特許文献２】特開２００７−２４２３５１号公報
【発明の概要】
【発明が解決しようとする課題】
【０００５】
ところで、従来の充填材の充填処理には、２つの目的がある。１つは絶縁であり、もう１つはリード線と端子との接続部分の補強である。前者の絶縁は、内部充電部と外部との物理的距離により設定されるもので、リード線と充填材との境界面が剥離しても問題にならない寸法が必要である。後者の補強に関しては、内部での上記の接続部分が芯線（リード線）によるものであるため、この接続部分を外力から保護するためには硬化性樹脂が有効ではある。【０００６】
また、リード線の被覆部は、曲げに対応できることが要求され、比較的柔軟性のある樹脂で構成される。一方、上記のように充填される充填材は、充填時に液状で、化学反応により硬化する樹脂で構成される。そのため、相対的に柔らかいリード線の被覆部と相対的に硬い充填材との境界面で障害が発生することがある。例えば、リード線が強く曲げられたとき、充填材の端部がリード線の被覆部を傷つけるという問題がある。【０００７】
また、リード線の被覆部と充填材との接着強度は出しにくいため、リード線が強く曲げられると境界面でリード線の被覆部と充填材とが剥がれやすい。そのため、この剥がれを抑えるために、リード線の曲がる範囲を規制するなどの取り付け上の制限が必要になるという問題もある。【０００８】
更には、充填材が充填時に液状であるために、充填作業に熟練を要したり、充填材に硬化のための熱処理が必要であったり、こぼれた充填材が汚れとなったり、といった問題もある。なお、充填材が充填時に液状であるために、表面張力で端部の中心部分が盛り上がることで、リード線の被覆部をより傷つけやすくなる。また、充填材の硬化に熱処理が必要である場合、絶縁ケースの耐熱性の制限も生じる。【０００９】
本発明の目的は、簡単な組み立て作業で、リード線の被覆部の損傷を抑えることができるとともに、リード線を確実に保持することができる温度スイッチ及び温度スイッチ用絶縁ケースを提供することである。
【課題を解決するための手段】
【００１０】
１つの態様では、温度スイッチは、温度を感知することによって可動接点を固定接点に接触する位置と前記固定接点から離隔した位置とに移動させる感温部と、前記固定接点に接続され、被覆部を有する第１リード線と、前記可動接点に接続され、被覆部を有する第２リード線と、前記第１リード線の前記被覆部が挿入される第１リード線用凹部及び前記第２リード線の前記被覆部が挿入される第２リード線用凹部をそれぞれが有し、互いに嵌め合わされることで前記感温部、前記可動接点、及び前記固定接点が収容される収容空間を形成する第１絶縁ケース部材及び第２絶縁ケース部材と、を備える。【００１１】
他の１つの態様では、温度を感知することによって可動接点を固定接点に接触する位置と前記固定接点から離隔した位置とに移動させる感温部を備える温度スイッチに配置される温度スイッチ用絶縁ケースであって、前記固定接点に接続され被覆部を有する第１リード線の前記被覆部が挿入される第１リード線用凹部及び前記可動接点に接続され被覆部を有する第２リード線の前記被覆部が挿入される第２リード線用凹部をそれぞれが有し、互いに嵌め合わされることで前記感温部、前記可動接点、及び前記固定接点が収容される収容空間を形成する第１絶縁ケース部材及び第２絶縁ケース部材を備える。
【発明の効果】
【００１２】
本発明によれば、簡単な組み立て作業で、リード線の被覆部の損傷を抑えることができるとともに、リード線を確実に保持することができる。
【図面の簡単な説明】
【００１３】
【図１】第１実施形態に係る温度スイッチを示す分解斜視図である。
【図２】第１実施形態に係る温度スイッチを示す斜視図である。
【図３】第１実施形態に係る温度スイッチ用絶縁ケースを示す分解斜視図である。
【図４】第２実施形態に係る温度スイッチ用絶縁ケースを示す分解斜視図である。
【図５】第３実施形態に係る温度スイッチ用絶縁ケースを示す分解斜視図である。
【図６】第４実施形態に係る温度スイッチ用絶縁ケースを示す分解斜視図である。
【図７】第５実施形態に係る温度スイッチ用絶縁ケースを示す分解斜視図である。
【図８】第６実施形態に係る温度スイッチ用絶縁ケースを示す分解斜視図である。
【発明を実施するための形態】
【００１４】
以下、本発明の第１〜第６実施形態に係る温度スイッチ及び温度スイッチ用絶縁ケースについて、図面を参照しながら説明する。
【００１５】
＜第１実施形態＞
図１は、第１実施形態に係る温度スイッチ１を示す分解斜視図である。
図２は、第１実施形態に係る温度スイッチ１を示す斜視図である。
【００１６】
図３は、第１実施形態に係る温度スイッチ用絶縁ケース（以下、単に「絶縁ケース」と記す。）１０を示す分解斜視図である。
温度スイッチ１は、可動接点２と、固定接点３と、感温部４と、第１リード線５と、第２リード線６と、絶縁ケース１０と、を備える。温度スイッチ１は、様々な用途に用いることができるが、一例としては、モータなどの電気機器に組み込まれ、電気機器の過熱時又は過電流時に作動して電気機器の電流経路を遮断する。
【００１７】
可動接点２は、後述する可動板４ｂの長手方向（例えば、後述する第１リード線５及び第２リード線６の軸方向（Ｙ方向）と同一）の一端側の底面に固定され、可動板４ｂの反転動作によって、固定接点３に接触する位置（図１参照）と固定接点３から離隔した位置とに移動する。可動接点２は、図示しない端子を介して第２リード線６に電気的に接続されている。また、固定接点３は、図示しない端子を介して第１リード線５に電気的に接続されている。なお、上記の端子と第１リード線５及び第２リード線６との接続部分は、例えば、感温部４とは異なる位置である。また、図１では、可動接点２及び固定接点３は、可動板４ｂに隠れて見えないため、かくれ線（破線）で表されている。なお、図１は、第１リード線５と第２リード線６とが絶縁ケース１０の同一面を貫通するように並んで配置される例を示すが、例えば、絶縁ケース１０の互いに対向する２つの面の一方から第１リード線５が挿入され、他方から第２リード線６が挿入される構成などの他の構成であってもよい。
【００１８】
感温部４は、バイメタル４ａ及び可動板４ｂを有し、温度を感知することによって、上記のように、可動接点２を固定接点３に接触する位置と固定接点３から離隔した位置とに移動させる。
【００１９】
バイメタル４ａは、設定温度を境界として反り返り方向を反転する熱応動素子である。可動板４ｂは、バイメタル４ａと面接触した状態でバイメタル４ａを支持し、バイメタル４ａの反転によって、バイメタル４ａの形状に合わせて弾性変形する。なお、可動板４ｂは、可動接点２と第２リード線６との間の電流経路を構成するため、電気の良導体であることが好ましい。
【００２０】
平常時、バイメタル４ａ及び可動板４ｂは、図１に示すように長手方向（第１リード線５及び第２リード線６の軸方向と同一のＹ方向）の中央部分が上方に凸状に反転しており、凸状部分を挟んだ両側が下方に向いている。このとき、可動接点２と固定接点３とが接触する。すなわち、電気機器の通電回路の電気接点が閉じ、上述の電流経路に電流が流れる。
【００２１】
一方、環境温度が設定温度を超えると、バイメタル４ａ及び可動板４ｂは、長手方向の中央部分が下方に凸状に反転し、凸状部分を挟んだ両側が上方に向く。これにより、可動接点２は、固定接点３から離隔した位置に移動する。すなわち、電気機器の通電回路の電気接点が開き、電流経路を切断する。
【００２２】
なお、感温部４は、バイメタル４ａ及び可動板４ｂを有する構成に限定されず、気体や液体の膨張を利用して可動接点を移動させる構成などの他の構成を採用してもよい。
第１リード線５及び第２リード線６は、可撓性を有し、周囲の少なくとも一部を被覆部５ａ，６ａによって覆われている。この被覆部５ａ，６ａは、例えば、シリコーンゴム、フッ素ゴム、ビニール樹脂などの弾性体である。
【００２３】
絶縁ケース１０は、互いに直交するＸ方向、Ｙ方向、又はＺ方向に各辺が平行な直方体形状を呈し、第１絶縁ケース部材１１と第２絶縁ケース部材１２とが互いに嵌め合わされることで、可動接点２、固定接点３、感温部４等を収容する図１に示す収容空間Ｓを形成する。絶縁ケース１０の材料は、例えば、絶縁性の合成樹脂である。一例ではあるが、上側に位置する第１絶縁ケース部材１１は、第１リード線５及び第２リード線６の温度スイッチ１に対する出口側である手前側（図１及び図３では右側）の面を除く、奥側（図１及び図３では左側）の面及び手前側から奥側を見たときの左右両側（図１及び図３では正面側及び背面側）の面において、下側に位置する第２絶縁ケース部材１２を覆い隠すように配置される。
【００２４】
第１絶縁ケース部材１１及び第２絶縁ケース部材１２のそれぞれは、第１リード線用凹部１１ａ，１２ａと、第２リード線用凹部１１ｂ，１２ｂと、を有する。また、第１絶縁ケース部材１１は、二対の外側ロック用孔１１ｃ，１１ｄと、一対の手前側凸部１１ｅと、図示しない単一の奥側凸部と、を更に有する。一方、第２絶縁ケース部材１２は、二対の外側ロック用爪１２ｃ，１２ｄと、一対の手前側溝１２ｅ，１２ｅと、単一の奥側溝１２ｆと、を更に有する。
【００２５】
第１リード線用凹部１１ａ，１２ａ及び第２リード線用凹部１１ｂ，１２ｂは、第１リード線５及び第２リード線６の軸方向（Ｙ方向）に平行に延び、例えば第１リード線５及び第２リード線６の半径とほぼ同一の（望ましくはわずかに大きい）半径を有する半円筒形状を呈する。なお、第１リード線用凹部１１ａ，１２ａ及び第２リード線用凹部１１ｂ，１２ｂが軸方向（Ｙ方向）に延びる長さは、絶縁ケース１０における絶縁距離を確保するのに十分な長さであることが望ましい。
【００２６】
第１絶縁ケース部材１１の第１リード線用凹部１１ａと第２絶縁ケース部材１２の第１リード線用凹部１２ａとは、例えば上下方向であるＺ方向に互いに対向し、これらの間に第１リード線５の被覆部５ａが挿入される。また、第１絶縁ケース部材１１の第２リード線用凹部１１ｂと第２絶縁ケース部材１２の第２リード線用凹部１２ｂとは、例えば上下方向であるＺ方向に互いに対向し、これらの間に第２リード線６の被覆部６ａが挿入される。
【００２７】
図２に示すように、第１リード線用凹部１１ａ，１２ａ及び第２リード線用凹部１１ｂ，１２ｂは、第１リード線５及び第２リード線６の温度スイッチ１に対する出口側であるＹ方向手前側（図２では右側）の端部に、例えばＣ面取り部分である面取り部分１１ａ−１，１２ａ−１，１１ｂ−１，１２ｂ−１が端部の全周に亘って形成されるなど、第１リード線５及び第２リード線６が撓んだ場合に上記の端部が第１リード線５及び第２リード線６の被覆部５ａ，６ａを傷つけない構成を採用することが望ましい。
【００２８】
図１及び図３に示すように、第１絶縁ケース部材１１の二対の外側ロック用孔１１ｃ，１１ｄのそれぞれは、軸方向（Ｙ方向）に直交する方向である第１リード線５及び第２リード線６の配列方向（Ｘ方向）に第１絶縁ケース部材１１を貫通し、この配列方向（Ｘ方向）に対向した位置に配置されている（図１及び図３では正面側のみ図示し、背面側は隠れて見えない）。また、第２絶縁ケース部材１２の二対の外側ロック用爪１２ｃ，１２ｄのそれぞれは、第１リード線５及び第２リード線６の配列方向（Ｘ方向）の外側（図１に示す収容空間Ｓとは反対側）に突出し、配列方向（Ｘ方向）に対向した位置に配置されている（図１及び図３では正面側のみ図示し、背面側は隠れて見えない）。これら二対の外側ロック用孔１１ｃ，１１ｄ及び二対の外側ロック用爪１２ｃ，１２ｄは、第１リード線５及び第２リード線６の配列方向（Ｘ方向）における図１に示す収容空間Ｓを挟んだ両側の面（図１では正面側及び背面側の上述の左右両側の面）に位置する。そして、外側ロック用孔１１ｃ，１１ｄに外側ロック用爪１２ｃ，１２ｄが挿入されることで、これらは、第１絶縁ケース部材１１と第２絶縁ケース部材１２とをロックする少なくとも一対の第１ロック機構の一例として機能する。このように第１絶縁ケース部材１１と第２絶縁ケース部材１２とがロックされることで、第１絶縁ケース部材１１と第２絶縁ケース部材１２とが嵌め合わされる。なお、第１ロック機構としては、外側ロック用爪１２ｃ，１２ｄのように爪を用いた構成に限らず、しまり嵌めする部材を用いた構成などの他の構成も採用可能である。また、二対の外側ロック用孔１１ｃ，１１ｄ及び二対の外側ロック用爪１２ｃ，１２ｄのそれぞれは、絶縁ケース１０の平面視における四隅の近傍に設けられるとよい。
【００２９】
第１絶縁ケース部材１１の一対の手前側凸部１１ｅは、第１リード線５及び第２リード線６の配列方向（Ｘ方向）における絶縁ケース１０の中心側に突出し、この配列方向（Ｘ方向）に対向した位置に配置されている（図１及び図３では背面側のみ図示し、正面側は隠れて見えない）。また、第２絶縁ケース部材１２の一対の手前側溝１２ｅ，１２ｅは、第１リード線５及び第２リード線６の配列方向（Ｘ方向）における外側に開口し、この配列方向（Ｘ方向）に対向した位置に配置されている。そして、一対の手前側溝１２ｅ，１２ｅに一対の手前側凸部１１ｅが挿入されることで、第１絶縁ケース部材１１と第２絶縁ケース部材１２とをロックするか或いは位置決めする。
【００３０】
第２絶縁ケース部材１２の単一の奥側溝１２ｆは、図１及び図３では上側（Ｚ方向の一方）並びに正面側及び背面側（Ｘ方向の両側）に亘って開口し、第１絶縁ケース部材１１の内側に形成された図示しない奥側凸部が挿入されることで、第１絶縁ケース部材１１と第２絶縁ケース部材１２とをロックするか或いは位置決めする。
【００３１】
以上説明した第１実施形態では、温度スイッチ１は、温度を感知することによって可動接点２を固定接点３に接触する位置と固定接点３から離隔した位置とに移動させる感温部４と、固定接点３に接続され、被覆部５ａを有する第１リード線５と、可動接点２に接続され、被覆部６ａを有する第２リード線６と、第１絶縁ケース部材１１及び第２絶縁ケース部材１２と、を備える。これら第１絶縁ケース部材１１及び第２絶縁ケース部材１２のそれぞれは、第１リード線５の被覆部５ａが挿入される第１リード線用凹部１１ａ，１２ａ及び第２リード線６の被覆部６ａが挿入される第２リード線用凹部１１ｂ，１２ｂを有し、互いに嵌め合わされることで感温部４、可動接点２、及び固定接点３が収容される収容空間Ｓを形成する。
【００３２】
これにより、充填材を用いる従来の構成と比較して、第１絶縁ケース部材１１と第２絶縁ケース部材１２との嵌め合わせによって、困難な作業を伴わずに第１リード線５及び第２リード線６を保持することができる。また、充填材と比較して、第１絶縁ケース部材１１及び第２絶縁ケース部材１２が、第１リード線５及び第２リード線６の被覆部５ａ，６ａと剥がれにくいため、この剥がれを抑えるために、リード線５，６の曲がる範囲を規制するなどの取り付け上の制限が必要になるのを回避することもできる。
【００３３】
よって、本第１実施形態によれば、簡単な組み立て作業で、第１リード線５及び第２リード線６の被覆部５ａ，６ａの損傷を抑えることができるとともに、第１リード線５及び第２リード線６を確実に保持することができる。
【００３４】
＜第２実施形態＞
図４は、第２実施形態に係る温度スイッチ用絶縁ケース２０を示す分解斜視図である。
本第２実施形態に係る絶縁ケース２０は、第１絶縁ケース部材２１及び第２絶縁ケース部材２２の第１リード線用凹部２１ａ，２２ａ及び第２リード線用凹部２１ｂ，２２ｂに複数のリブ２１ａ−１，２２ａ−１，２１ｂ−１，２２ｂ−１が形成されていることを除いて、上述の第１に係る絶縁ケース１０と同様にすることができる。そのため、同様の構成については、図３における１０番台の符号を、図４では２０番台の同様の符号を付して説明を省略する。
【００３５】
第１リード線用凹部２１ａ，２２ａ及び第２リード線用凹部２１ｂ，２２ｂのそれぞれには、第１リード線５及び第２リード線６の軸方向（Ｙ方向）に分離した位置で突出する複数のリブ２１ａ−１，２２ａ−１，２１ｂ−１，２２ｂ−１が形成されている。なお、リブの数は、図４の例では２つずつであるが、第２絶縁ケース部材２２の第２リード線用凹部２２ｂのリブ２２ｂ−１のみ２つ図示され、第１絶縁ケース部材２１の第１リード線用凹部２１ａ及び第２リード線用凹部２１ｂ並びに第２絶縁ケース部材２２の第１リード線用凹部２２ａのリブ２１ａ−１，２１ｂ−１，２１ｂ−１は１つが隠れて見えないため１つのみ図示されている。
【００３６】
そして、第１絶縁ケース部材２１の第１リード線用凹部２１ａの複数のリブ２１ａ−１と、第２絶縁ケース部材２２の第１リード線用凹部２２ａの複数のリブ２２ａ−１とは、図１及び図２に示す第１リード線５の被覆部５ａの全周に亘って被覆部５ａを締め付けるように互いに接触する。
【００３７】
但し、第１絶縁ケース部材２１の第２リード線用凹部２１ｂの複数のリブ２１ｂ−１と、第２絶縁ケース部材２２の第２リード線用凹部２２ｂの複数のリブ２２ｂ−１とは、図１及び図２に示す第２リード線６の被覆部６ａの全周に亘って被覆部６ａを締め付けるように互いに接触することが望ましいが、第１リード線用凹部２１ａ，２２ａのリブ２１ａ−１，２２ａ−１と、第２リード線用凹部２１ｂ，２２ｂのリブ２１ｂ−１，２２ｂ−１とが互いに接触せず、第１リード線５及び第２リード線６の被覆部５ａ，６ａを（同一箇所で）全周に亘って締め付けない構成を採用してもよい。また、第１リード線用凹部２１ａ，２２ａ及び第２リード線用凹部２１ｂ，２２ｂのそれぞれが、軸方向（Ｙ方向）に分離した位置で突出する複数のリブ２１ａ−１，２２ａ−１，２１ｂ−１，２２ｂ−１に代えて、単一のリブを有する構成を採用してもよい。
【００３８】
本第２実施形態によれば、上述の第１実施形態の効果に加え、第１リード線５及び第２リード線６をより確実に保持することができるという効果を得ることができる。
【００３９】
＜第３実施形態＞
図５は、第３実施形態に係る温度スイッチ用絶縁ケース３０を示す分解斜視図である。
本第３実施形態に係る絶縁ケース３０は、第１絶縁ケース部材３１及び第２絶縁ケース部材３２のうち少なくとも一方（望ましくは両方）の第１リード線用凹部３１ａ，３２ａ及び第２リード線用凹部３１ｂ，３２ｂが、複数のリブの間に位置する窪み３２ａ−２，３２ｂ−２（第１絶縁ケース部材３１の窪みは隠れて見えない）を含むことを除いて、上述の第１及び第２実施形態に係る絶縁ケース１０，２０と同様にすることができる。そのため、同様の構成については、図４における２０番台の符号を、図５では３０番台の同様の符号を付して説明を省略する。
【００４０】
上記の窪み３２ａ−２，３２ｂ−２は、例えば、図１及び図２に示す第１リード線５及び第２リード線６の被覆部５ａ，６ａの全周に亘って設けられることが望ましい。
本第３実施形態によれば、複数のリブ３１ａ−１，３２ａ−１，３１ｂ−１，３２ｂ−１によって締め付けられることにより弾性変形する第１リード線５及び第２リード線６の被覆部５ａ，６ａを、複数のリブ３１ａ−１，３２ａ−１，３１ｂ−１，３２ｂ−１の間に位置する窪み３２ａ−２，３２ｂ−２が収容することで、弾性変形した第１リード線５及び第２リード線６の被覆部５ａ，６ａの逃げ場が失われるのを防ぐことができる。したがって、上述の第１及び第２実施形態の効果に加え、第１リード線５及び第２リード線６をより一層確実に保持することができるという効果を得ることができる。
【００４１】
＜第４実施形態＞
図６は、第４実施形態に係る温度スイッチ用絶縁ケース４０を示す分解斜視図である。
本第４実施形態に係る絶縁ケース４０は、第１絶縁ケース部材４１の二対の外側ロック用孔４１ｃ，４１ｄのうちの一対の外側ロック用孔４１ｃ及び第２絶縁ケース部材４２の二対の外側ロック用爪４２ｃ，４２ｄのうちの一対の外側ロック用爪４２ｃが、図１及び図２に示す第１リード線５及び第２リード線６の軸方向（Ｙ方向）に平行に延びる第１リード線用凹部４１ａ，４２ａ及び第２リード線用凹部４１ｂ，４２ｂの軸方向（Ｙ方向）の中心での軸方向（Ｙ方向）に直交する面（ＸＺ平面）上に位置する。このことを除いて、本第４実施形態に係る絶縁ケース４０は、上述の第１〜第３実施形態に係る絶縁ケース１０，２０，３０と同様にすることができる。そのため、同様の構成については、図５における３０番台の符号を、図６では４０番台の同様の符号を付して説明を省略する。
【００４２】
なお、第１絶縁ケース部材４１の手前側凸部４１ｅ及び第２絶縁ケース部材４２の手前側溝４２ｅは、一対の外側ロック用孔４１ｃ及び一対の外側ロック用爪４２ｃに干渉しないように、図５（第３実施形態）に示す手前側凸部３１ｅ及び手前側溝３２ｅよりも下方（Ｚ方向）に延びる長さが短い。
【００４３】
本第４実施形態によれば、第１〜第３実施形態の効果に加え、第１リード線５及び第２リード線６の被覆部５ａ，６ａが圧縮することにより生じさせる反発力を、この反発力が生じる部分の近傍で第１絶縁ケース部材４１と第２絶縁ケース部材４２とをロックすることで、反発力のバランス（応力のバランス）を調整することができる。
【００４４】
＜第５実施形態＞
図７は、第５実施形態に係る温度スイッチ用絶縁ケース５０を示す分解斜視図である。
本第５実施形態に係る絶縁ケース５０は、第１絶縁ケース部材５１及び第２絶縁ケース部材５２のそれぞれが、第１リード線用凹部５１ａ，５２ａと第２リード線用凹部５１ｂ，５２ｂとの間に位置する第２ロック機構を有することを除いて、上述の第１〜第４実施形態に係る絶縁ケース１０，２０，３０，４０と同様にすることができる。そのため、同様の構成については、図５における３０番台の符号を、図７では５０番台の同様の符号を付して説明を省略する。
【００４５】
第２ロック機構の一例としては、第１絶縁ケース部材５１では内側ロック用爪５１ｆが、第２絶縁ケース部材５２では内側ロック用孔５２ｇが、それぞれ挙げられる。なお、第２ロック機構としては、内側ロック用爪５１ｆのように爪を用いた構成に限らず、しまり嵌めする部材を用いた構成などの他の構成も採用可能である。内側ロック用爪５１ｆ及び内側ロック用孔５２ｇは、第１リード線５及び第２リード線６の配列方向（Ｘ方向）における絶縁ケース５０の中心に位置することが望ましい。内側ロック用爪５１ｆは、第１絶縁ケース部材５１から下方（Ｚ方向）に突出した後に、第１ロック機構を構成する外側ロック用爪５２ｃ，５２ｄと同様に、図１及び図２に示す第１リード線５及び第２リード線６の配列方向（Ｘ方向）の一方に突出する。つまり、内側ロック用爪５１ｆのロック方向は、外側ロック用爪５２ｃ，５２ｄのロック方向と平行である。なお、内側ロック用孔５２ｇは、上下に延びるだけでなく、内側ロック用爪５１ｆが突出する部分を収容する部分が形成されている。また、内側ロック用孔５２ｇは、成形の容易さの観点から、例えば、第２絶縁ケース部材５２を上下（Ｚ方向）に貫通するように設けられる。
【００４６】
本第５実施形態によれば、第２ロック機構の一例である内側ロック用爪５１ｆ及び内側ロック用孔５２ｇが、第１リード線５及び第２リード線６の被覆部５ａ，６ａが圧縮することにより生じさせる反発力を、この反発力が生じる部分の近傍でより確実に抑えることができる。したがって、上述の第１〜第４実施形態の効果に加え、第１リード線５及び第２リード線６をより一層確実に保持することができるという効果を得ることができる。
【００４７】
＜第６実施形態＞
図８は、第６実施形態に係る温度スイッチ用絶縁ケース６０を示す分解斜視図である。
本第６実施形態に係る絶縁ケース６０は、第２ロック機構の一例である内側ロック用爪６１ｆ及び内側ロック用孔６２ｇの、第５実施形態で述べたロック方向が、第１ロック機構の一例である外側ロック用孔６１ｃ，６１ｄ及び外側ロック用爪６２ｃ，６２ｄのロック方向（Ｘ方向）と平行ではなく直交する方向（Ｙ方向）である。つまり、内側ロック用爪６１ｆは、第１絶縁ケース部材６１から下方（Ｚ方向）に突出した後に、第１リード線５及び第２リード線６の軸方向（Ｙ方向）の一方に突出する。このことを除いて、上述の第１〜第５実施形態に係る絶縁ケース１０，２０，３０，４０，５０と同様にすることができる。そのため、同様の構成については、図７における５０番台の符号を、図８では６０番台の同様の符号を付して説明を省略する。
【００４８】
本第６実施形態によれば、第２ロック機構の一例である内側ロック用爪６１ｆ及び内側ロック用孔６２ｇが、第１ロック機構の一例である外側ロック用孔６１ｃ，６１ｄ及び外側ロック用爪６２ｃ，６２ｄと共働して、しかも、ロック方向が互いに直交することで、第１リード線５及び第２リード線６の被覆部５ａ，６ａが圧縮することにより生じさせる反発力をより一層確実に抑えることができるとともに、第１リード線５及び第２リード線６の配列方向（Ｘ方向）における絶縁ケース６０の対称性が失われるのを防ぐこともできる。したがって、上述の第１〜第５実施形態の効果に加え、第１リード線５及び第２リード線６をより一層確実に保持することができるという効果を得ることができる。
【００４９】
以上、本発明の第１〜第６実施形態を説明したが、本発明は特許請求の範囲に記載された発明とその均等の範囲に含まれる。以下に、本願の出願当初の特許請求の範囲に記載された発明を付記する。
【００５０】
［付記１］
温度を感知することによって可動接点を固定接点に接触する位置と前記固定接点から離隔した位置とに移動させる感温部と、
前記固定接点に接続され、被覆部を有する第１リード線と、
前記可動接点に接続され、被覆部を有する第２リード線と、
前記第１リード線の前記被覆部が挿入される第１リード線用凹部及び前記第２リード線の前記被覆部が挿入される第２リード線用凹部をそれぞれが有し、互いに嵌め合わされることで前記感温部、前記可動接点、及び前記固定接点が収容される収容空間を形成する第１絶縁ケース部材及び第２絶縁ケース部材と、
を備えることを特徴とする温度スイッチ。
【００５１】
［付記２］
前記第１リード線用凹部には、前記第１リード線の軸方向に分離した位置で突出する複数のリブが形成され、
前記第２リード線用凹部には、前記第２リード線の軸方向に分離した位置で突出する複数のリブが形成され、
前記第１絶縁ケース部材の前記第１リード線用凹部の前記複数のリブと、前記第２絶縁ケース部材の前記第１リード線用凹部の前記複数のリブとは、前記第１リード線の前記被覆部の全周に亘って前記被覆部を締め付けるように互いに接触し、
前記第１絶縁ケース部材の前記第２リード線用凹部の前記複数のリブと、前記第２絶縁ケース部材の前記第２リード線用凹部の前記複数のリブとは、前記第２リード線の前記被覆部の全周に亘って前記被覆部を締め付けるように互いに接触する、
ことを特徴とする付記１記載の温度スイッチ。
【００５２】
［付記３］
前記第１絶縁ケース部材及び前記第２絶縁ケース部材のうち少なくとも一方の前記第１リード線用凹部及び前記第２リード線用凹部は、前記複数のリブの間に位置する窪みを含むことを特徴とする付記２記載の温度スイッチ。
【００５３】
［付記４］
前記第１リード線用凹部及び前記第２リード線用凹部は、互いに平行な前記第１リード線及び前記第２リード線の軸方向に延び、且つ、前記第１絶縁ケース部材の前記第１リード線用凹部及び前記第２リード線用凹部と前記第２絶縁ケース部材の前記第１リード線用凹部及び前記第２リード線用凹部との対向方向及び前記軸方向に直交する配列方向に配列され、
前記第１絶縁ケース部材及び前記第２絶縁ケース部材のそれぞれは、前記配列方向に前記収容空間を挟んだ両側の面に位置し前記第１絶縁ケース部材と前記第２絶縁ケース部材とをロックするための一対の第１ロック機構を更に有し、
前記第１リード線用凹部及び前記第２リード線用凹部は、前記第１リード線及び前記第２リード線の前記軸方向に平行に延び、
前記一対の第１ロック機構は、前記第１リード線用凹部及び前記第２リード線用凹部における前記軸方向の中心での前記軸方向に直交する面上に位置する、
ことを特徴とする付記１記載の温度スイッチ。
【００５４】
［付記５］
前記第１絶縁ケース部材及び前記第２絶縁ケース部材のそれぞれは、前記第１リード線用凹部と前記第２リード線用凹部との間に位置し前記第１絶縁ケース部材と前記第２絶縁ケース部材とをロックするための第２ロック機構を更に有することを特徴とする付記１記載の温度スイッチ。
【００５５】
［付記６］
前記第１リード線用凹部及び前記第２リード線用凹部は、互いに平行な前記第１リード線及び前記第２リード線の軸方向に延び、且つ、前記第１絶縁ケース部材の前記第１リード線用凹部及び前記第２リード線用凹部と前記第２絶縁ケース部材の前記第１リード線用凹部及び前記第２リード線用凹部との対向方向及び前記軸方向に直交する配列方向に配列され、
前記第１絶縁ケース部材及び前記第２絶縁ケース部材のそれぞれは、前記配列方向に前記収容空間を挟んだ両側の面に位置し前記第１絶縁ケース部材と前記第２絶縁ケース部材とをロックするための一対の第１ロック機構を更に有し、
前記第２ロック機構は、前記一対の第１ロック機構が前記第１絶縁ケース部材と前記第２絶縁ケース部材とをロックする方向とは直交する方向に前記第１絶縁ケース部材と前記第２絶縁ケース部材とをロックする、
ことを特徴とする付記５記載の温度スイッチ。
【００５６】
［付記７］
温度を感知することによって可動接点を固定接点に接触する位置と前記固定接点から離隔した位置とに移動させる感温部を備える温度スイッチに配置される温度スイッチ用絶縁ケースであって、
前記固定接点に接続され被覆部を有する第１リード線の前記被覆部が挿入される第１リード線用凹部及び前記可動接点に接続され被覆部を有する第２リード線の前記被覆部が挿入される第２リード線用凹部をそれぞれが有し、互いに嵌め合わされる第１絶縁ケース部材及び第２絶縁ケース部材を備える、
ことを特徴とする温度スイッチ用絶縁ケース。
【符号の説明】
【００５７】
１      温度スイッチ
２      可動接点
３      固定接点
４      感温部
４ａ      バイメタル
４ｂ      可動板
５      第１リード線
５ａ      被覆部
６      第２リード線
６ａ      被覆部
１０，２０，３０，４０，５０，６０      絶縁ケース
１１，２１，３１，４１，５１，６１      第１絶縁ケース部材
１２，２２，３２，４２，５２，６２      第２絶縁ケース部材
１１ａ，１２ａ，２１ａ，２２ａ，３１ａ，３２ａ，４１ａ，４２ａ，５１ａ，５２ａ，６１ａ，６２ａ      第１リード線用凹部
１１ｂ，１２ｂ，２１ｂ，２２ｂ，３１ｂ，３２ｂ，４１ｂ，４２ｂ，５１ｂ，５２ｂ，６１ｂ，６２ｂ      第２リード線用凹部
１１ａ−１，１１ｂ−１，１２ａ−１，１２ｂ−１      面取り部分
２１ａ−１，２１ｂ−１，２２ａ−１，２２ｂ−１，３１ａ−１，３１ｂ−１，３２ａ−１，３２ｂ−１，４１ａ−１，４１ｂ−１，４２ａ−１，４２ｂ−１，５１ａ−１，５１ｂ−１，５２ａ−１，５２ｂ−１，６１ａ−１，６１ｂ−１，６２ａ−１，６２ｂ−１      リブ
３２ａ−２，３２ｂ−２，４２ａ−２，４２ｂ−２，５２ａ−２，５２ｂ−２，６２ａ−２，６２ｂ−２      窪み
１１ｃ，１１ｄ，２１ｃ，２１ｄ，３１ｃ，３１ｄ，４１ｃ，４１ｄ，５１ｃ，５１ｄ，６１ｃ，６１ｄ      外側ロック用孔
１２ｃ，１２ｄ，２２ｃ，２２ｄ，３２ｃ，３２ｄ，４２ｃ，４２ｄ，５２ｃ，５２ｄ，６２ｃ，６２ｄ      外側ロック用爪
１１ｅ，２１ｅ，３１ｅ，４１ｅ，５１ｅ，６１ｅ      手前側凸部
１２ｅ，２２ｅ，３２ｅ，４２ｅ，５２ｅ，６２ｅ      手前側溝
１２ｆ，２２ｆ，３２ｆ，４２ｆ，５２ｆ，６２ｆ      奥側溝
５１ｆ，６１ｆ      内側ロック用爪
５２ｇ，６２ｇ      内側ロック用孔
Ｓ      収容空間
Ｘ      第１リード線及び第２リード線の配列方向
Ｙ      第１のリード線及び第２のリード線の軸方向
Ｚ      第１リード線用凹部及び第２リード線用凹部それぞれの対向方向
【図１】
2017130518.tif 000003
【図２】
2017130518.tif 000004
【図３】
2017130518.tif 000005
【図４】
2017130518.tif 000006
【図５】
2017130518.tif 000007
【図６】
2017130518.tif 000008
【図７】
2017130518.tif 000009
【図８】
2017130518.tif 000010
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
温度を感知することによって可動接点を固定接点に接触する位置と前記固定接点から離隔した位置とに移動させる感温部と、
前記固定接点に接続され、被覆部を有する第１リード線と、
前記可動接点に接続され、被覆部を有する第２リード線と、
前記第１リード線の前記被覆部が挿入される第１リード線用凹部及び前記第２リード線の前記被覆部が挿入される第２リード線用凹部をそれぞれが有し、互いに嵌め合わされることで前記感温部、前記可動接点、及び前記固定接点が収容される収容空間を形成する第１絶縁ケース部材及び第２絶縁ケース部材と、
を備え、
前記第１リード線用凹部及び前記第２リード線用凹部は、互いに平行な前記第１リード線及び前記第２リード線の軸方向に延び、且つ、前記第１絶縁ケース部材の前記第１リード線用凹部及び前記第２リード線用凹部と前記第２絶縁ケース部材の前記第１リード線用凹部及び前記第２リード線用凹部との対向方向及び前記軸方向に直交する配列方向に配列され、
前記第１絶縁ケース部材及び前記第２絶縁ケース部材のそれぞれは、前記配列方向に前記収容空間を挟んだ両側の面に位置し前記第１絶縁ケース部材と前記第２絶縁ケース部材とをロックするための少なくとも一対の第１ロック機構を更に有し、
前記一対の第１ロック機構は、前記第１リード線用凹部及び前記第２リード線用凹部の前記軸方向の中心を通り前記軸方向に直交する面上に位置する、
ことを特徴とする温度スイッチ。
【請求項２】
温度を感知することによって可動接点を固定接点に接触する位置と前記固定接点から離隔した位置とに移動させる感温部と、
前記固定接点に接続され、被覆部を有する第１リード線と、
前記可動接点に接続され、被覆部を有する第２リード線と、
前記第１リード線の前記被覆部が挿入される第１リード線用凹部及び前記第２リード線の前記被覆部が挿入される第２リード線用凹部をぞれぞれが有し、互いに嵌め合わされることで前記感温部、前記可動接点、及び前記固定接点が収容される収容空間を形成する第１絶縁ケース部材及び第２絶縁ケース部材と、
を備え、
前記第１絶縁ケース部材及び前記第２絶縁ケース部材のそれぞれは、前記第１リード線用凹部と前記第２リード線用凹部との間に位置し前記第１絶縁ケース部材と前記第２絶縁ケース部材とをロックするための第２ロック機構を更に有する、
ことを特徴とする温度スイッチ。
【請求項３】
前記第１リード線用凹部には、前記第１リード線の軸方向に分離した位置で突出する複数のリブが形成され、
前記第２リード線用凹部には、前記第２リード線の軸方向に分離した位置で突出する複数のリブが形成され、
前記第１絶縁ケース部材の前記第１リード線用凹部の前記複数のリブと、前記第２絶縁ケース部材の前記第１リード線用凹部の前記複数のリブとは、前記第１リード線の前記被覆部の全周に亘って前記被覆部を締め付けるように互いに接触し、
前記第１絶縁ケース部材の前記第２リード線用凹部の前記複数のリブと、前記第２絶縁ケース部材の前記第２リード線用凹部の前記複数のリブとは、前記第２リード線の前記被覆部の全周に亘って前記被覆部を締め付けるように互いに接触する、
ことを特徴とする請求項１又は２記載の温度スイッチ。
【請求項４】
前記第１絶縁ケース部材及び前記第２絶縁ケース部材のうち少なくとも一方の前記第１リード線用凹部及び前記第２リード線用凹部は、前記複数のリブの間に位置する窪みを含むことを特徴とする請求項３記載の温度スイッチ。
【請求項５】
（削除）
【請求項６】
前記第１リード線用凹部及び前記第２リード線用凹部は、互いに平行な前記第１リード線及び前記第２リード線の軸方向に延び、且つ、前記第１絶縁ケース部材の前記第１リード線用凹部及び前記第２リード線用凹部と前記第２絶縁ケース部材の前記第１リード線用凹部及び前記第２リード線用凹部との対向方向及び前記軸方向に直交する配列方向に配列され、
前記第１絶縁ケース部材及び前記第２絶縁ケース部材のそれぞれは、前記配列方向に前記収容空間を挟んだ両側の面に位置し前記第１絶縁ケース部材と前記第２絶縁ケース部材とをロックするための少なくとも一対の第１ロック機構を更に有し、
前記第２ロック機構は、前記一対の第１ロック機構が前記第１絶縁ケース部材と前記第２絶縁ケース部材とをロックする方向とは直交する方向に前記第１絶縁ケース部材と前記第２絶縁ケース部材とをロックする、
ことを特徴とする請求項２記載の温度スイッチ。
【請求項７】
温度を感知することによって可動接点を固定接点に接触する位置と前記固定接点から離隔した位置とに移動させる感温部を備える温度スイッチに配置される温度スイッチ用絶縁ケースであって、
前記固定接点に接続され被覆部を有する第１リード線の前記被覆部が挿入される第１リード線用凹部及び前記可動接点に接続され被覆部を有する第２リード線の前記被覆部が挿入される第２リード線用凹部をそれぞれが有し、互いに嵌め合わされることで前記感温部、前記可動接点、及び前記固定接点が収容される収容空間を形成する第１絶縁ケース部材及び第２絶縁ケース部材を備え、
前記第１リード線用凹部及び前記第２リード線用凹部は、互いに平行な前記第１リード線及び前記第２リード線の軸方向に延び、且つ、前記第１絶縁ケース部材の前記第１リード線用凹部及び前記第２リード線用凹部と前記第２絶縁ケース部材の前記第１リード線用凹部及び前記第２リード線用凹部との対向方向及び前記軸方向に直交する配列方向に配列され、
前記第１絶縁ケース部材及び前記第２絶縁ケース部材のそれぞれは、前記配列方向に前記収容空間を挟んだ両側の面に位置し前記第１絶縁ケース部材と前記第２絶縁ケース部材とをロックするための少なくとも一対の第１ロック機構を更に有し、
前記一対の第１ロック機構は、前記第１リード線用凹部及び前記第２リード線用凹部の前記軸方向の中心を通り前記軸方向に直交する面上に位置する、
ことを特徴とする温度スイッチ用絶縁ケース。
【請求項８】
温度を感知することによって可動接点を固定接点に接触する位置と前記固定接点から離隔した位置とに移動させる感温部を備える温度スイッチに配置される温度スイッチ用絶縁ケースであって、
前記固定接点に接続され被覆部を有する第１リード線の前記被覆部が挿入される第１リード線用凹部及び前記可動接点に接続され被覆部を有する第２リード線の前記被覆部が挿入される第２リード線用凹部をそれぞれが有し、互いに嵌め合わされることで前記感温部、前記可動接点、及び前記固定接点が収容される収容空間を形成する第１絶縁ケース部材及び第２絶縁ケース部材を備え、
前記第１絶縁ケース部材及び前記第２絶縁ケース部材のそれぞれは、前記第１リード線用凹部と前記第２リード線用凹部との間に位置し前記第１絶縁ケース部材と前記第２絶縁ケース部材とをロックするための第２ロック機構を更に有する、
ことを特徴とする温度スイッチ用絶縁ケース。
【手続補正書】
【提出日】平成30年7月9日(2018.7.9)
【手続補正１】
【補正対象書類名】明細書
【補正対象項目名】００３５
【補正方法】変更
【補正の内容】
【００３５】
第１リード線用凹部２１ａ，２２ａ及び第２リード線用凹部２１ｂ，２２ｂのそれぞれには、第１リード線５及び第２リード線６の軸方向（Ｙ方向）に分離した位置で突出する複数のリブ２１ａ−１，２２ａ−１，２１ｂ−１，２２ｂ−１が形成されている。なお、リブの数は、図４の例では２つずつであるが、第２絶縁ケース部材２２の第２リード線用凹部２２ｂのリブ２２ｂ−１のみ２つ図示され、第１絶縁ケース部材２１の第１リード線用凹部２１ａ及び第２リード線用凹部２１ｂ並びに第２絶縁ケース部材２２の第１リード線用凹部２２ａのリブ２１ａ−１，２２ａ−１，２１ｂ−１は１つが隠れて見えないため１つのみ図示されている。
【国際調査報告】
2017130518.tif 000011
2017130518.tif 000012
2017130518.tif 000013